(57)【特許請求の範囲】
【請求項１】
エラー耐性と伝送可能な映像信号品質との組み合わせが互いに異なる高速伝送チャネルと低速伝送チャネルとを含む放送信号を受信するように構成された受信部と、
前記放送信号の搬送波電力対雑音電力比（ＣＮ）を測定する第１の測定手段と、
前記放送信号の受信電力を測定する第２の測定手段と、
前記測定された受信電力と、静止状態において前記高速伝送チャネルの放送サービスを受信するための受信感度と、静止状態において前記高速伝送チャネルの放送サービスを受信するための所要ＣＮとに基づいて、電子機器が静止状態に対応する環境にあると仮定した場合のＣＮを推定し、該推定されたＣＮと前記測定されたＣＮとの差分に基づき、前記高速伝送チャネルと前記低速伝送チャネルとの間で復調対象の放送サービスを切り替える処理を制御する制御手段とを具備する電子機器。
【請求項２】
前記制御手段は、前記推定されたＣＮと前記測定されたＣＮとの差分に基づき、前記電子機器が移動状態に対応する環境にあるか否かを判定し、前記移動状態に対応する環境にある場合には前記低速伝送チャネルが前記高速伝送チャネルよりも優先して使用されるように、前記復調対象の放送サービスを切り替える処理を制御する請求項１記載の電子機器。
【請求項３】
前記制御手段は、前記放送信号の受信信号品質と閾値との比較結果に基づいて前記高速伝送チャネルと前記低速伝送チャネルとの間で前記復調対象の放送サービスを切り替える切り替え手段と、前記推定されたＣＮと前記測定されたＣＮとの差分に応じて、前記閾値を変更する閾値変更手段とを具備する請求項１記載の電子機器。
【請求項４】
前記制御手段は、前記推定されたＣＮと前記測定されたＣＮとの差分に基づき、前記電子機器が静止状態に対応する環境にあるか移動状態に対応する環境にあるかを判定し、移動状態に対応する環境の場合には前記低速伝送チャネルから前記高速伝送チャネルへの切り替えが前記静止状態に対応する環境の場合の前記低速伝送チャネルから前記高速伝送チャネルへの切り替えに比べし難い値に前記閾値を変更する請求項３記載の電子機器。
【請求項５】
前記制御手段は、前記推定されたＣＮと前記測定されたＣＮとの差分に基づき、前記電子機器が静止状態に対応する環境にあるか移動状態に対応する環境にあるかを判定し、移動状態に対応する環境の場合には前記高速伝送チャネルから前記低速伝送チャネルへの切り替えが前記静止状態に対応する環境の場合の前記高速伝送チャネルから前記低速伝送チャネルへの切り替えに比べし易い値に前記閾値を変更する請求項３記載の電子機器。
【請求項６】
エラー耐性と伝送可能な映像信号品質との組み合わせが互いに異なる高速伝送チャネルと低速伝送チャネルとを含む放送信号を受信する電子機器に適用される受信制御方法であって、
前記放送信号の搬送波電力対雑音電力比（ＣＮ）を測定し、
前記放送信号の受信電力を測定し、
前記測定された受信電力と、静止状態において前記高速伝送チャネルの放送サービスを受信するための受信感度と、静止状態において前記高速伝送チャネルの放送サービスを受信するための所要ＣＮとに基づいて、前記電子機器が静止状態に対応する環境にあると仮定した場合のＣＮを推定し、
該推定されたＣＮと前記測定されたＣＮとの差分に基づき、前記高速伝送チャネルと前記低速伝送チャネルとの間で復調対象の放送サービスを切り替える処理を制御する受信制御方法。
【請求項７】
前記制御することは、前記推定されたＣＮと前記測定されたＣＮとの差分に基づき、前記電子機器が移動状態に対応する環境にあるか否かを判定し、前記移動状態に対応する環境にある場合には前記低速伝送チャネルが前記高速伝送チャネルよりも優先して使用されるように、前記復調対象の放送サービスを切り替える処理を制御する請求項６記載の受信制御方法。
【請求項８】
前記制御することは、前記放送信号の受信信号品質と閾値との比較結果に基づいて前記高速伝送チャネルと前記低速伝送チャネルとの間で前記復調対象の放送サービスを切り替えることと、前記推定されたＣＮと前記測定されたＣＮとの差分に応じて、前記閾値を変更することとを具備する請求項６記載の受信制御方法。
【請求項９】
前記制御することは、前記推定されたＣＮと前記測定されたＣＮとの差分に基づき、前記電子機器が静止状態に対応する環境にあるか移動状態に対応する環境にあるかを判定し、移動状態に対応する環境の場合には前記低速伝送チャネルから前記高速伝送チャネルへの切り替えが前記静止状態に対応する環境の場合の前記低速伝送チャネルから前記高速伝送チャネルへの切り替えに比べし難い値に前記閾値を変更する請求項８記載の受信制御方法。
【請求項１０】
前記制御することは、前記推定されたＣＮと前記測定されたＣＮとの差分に基づき、前記電子機器が静止状態に対応する環境にあるか移動状態に対応する環境にあるかを判定し、移動状態に対応する環境の場合には前記高速伝送チャネルから前記低速伝送チャネルへの切り替えが前記静止状態に対応する環境の場合の前記高速伝送チャネルから前記低速伝送チャネルへの切り替えに比べし易い値に前記閾値を変更する請求項８記載の受信制御方法。
【発明の詳細な説明】
【技術分野】
【０００１】
本発明の実施形態は、放送信号を受信するための電子機器および同電子機器に適用される受信制御方法に関する。
【背景技術】
【０００２】
近年、エラー耐性と伝送可能な映像信号品質との組み合わせが互いに異なる高速伝送チャネルと低速伝送チャネルとの双方を含む放送信号を放送するサービスが行われている。高速伝送チャネルの放送は固定ＴＶ向けの放送サービスであり、また低速伝送チャネルの放送は移動ＴＶ向けの放送サービスである。日本で採用されているＩＳＤＢ−Ｔシステムにおいては、フルセグメント（Ｆｕｌｌ−ｓｅｇｍｅｎｔ）が上述の高速伝送チャネルの放送サービスに相当し、ワンセグメント（１ｓｅｇｍｅｎｔ）が上述の低速伝送チャネルの放送サービスに相当する。
【０００３】
最近では、復調対象のサービスをフルセグメント放送とワンセグメント放送との間で自動的に切り替える機能を有する受信機が開発されている。フルセグメント放送とワンセグメント放送との切り替えは、ビットエラーレート（ＢＥＲ）、搬送波電力対雑音電力比（ＣＮ）等の受信信号品質値に基づいて行うのが一般的である。例えば、ＣＮのような受信信号品質値がフルセグメント放送に対応するある基準値を超えた場合に、復調対象の放送信号はフルセグメント放送のサービスに切り替えられる。
【先行技術文献】
【特許文献】
【０００４】
【特許文献１】特開２００８−２５９０４８号公報
【発明の概要】
【発明が解決しようとする課題】
【０００５】
しかしながら、フルセグメント放送はエラー耐性が低いため、移動状態／静止状態のような環境の違いに関係なく同じ基準値を使用して切り替えを行うと、例えばフルセグメント放送とワンセグメント放送との切り替えが多発するなどの不具合が発生する可能性がある。
【０００６】
本発明は、移動状態／静止状態のような環境の違いを考慮して高速伝送チャネルと低速伝送チャネルの切り替えを実行することができる電子機器および受信制御方法を提供することを目的とする。
【課題を解決するための手段】
【０００７】
実施形態によれば、電子機器は、エラー耐性と伝送可能な映像信号品質との組み合わせが互いに異なる高速伝送チャネルと低速伝送チャネルとを含む放送信号を受信するように構成された受信部と、前記放送信号の搬送波電力対雑音電力比（ＣＮ）を測定する第１の測定手段と、前記放送信号の受信電力を測定する第２の測定手段と、制御手段とを具備する。前記制御手段は、前記測定された受信電力と、静止状態において前記高速伝送チャネルの放送サービスを受信するための受信感度と、静止状態において前記高速伝送チャネルの放送サービスを受信するための所要ＣＮとに基づいて、前記電子機器が静止状態に対応する環境にあると仮定した場合のＣＮを推定し、該推定されたＣＮと前記測定されたＣＮとの差分に基づき、前記高速伝送チャネルと前記低速伝送チャネルとの間で復調対象の放送サービスを切り替える処理を制御する。
【図面の簡単な説明】
【０００８】
【図１】実施形態に係る電子機器の外観を示す斜視図。
【図２】同実施形態の電子機器の利用シーンを説明するための図。
【図３】同実施形態の電子機器のシステム構成を示すブロック図。
【図４】同実施形態の電子機器における所要ＣＮと受信感度と受信電力との関係を説明するための図。
【図５】同実施形態の電子機器の環境が移動状態から静止状態に、静止状態から移動状態に変化した場合における測定ＣＮの変化の例を示す図。
【図６】移動状態と静止状態との間で同じ基準値を用いた場合のワンセグメント放送／フルセグメント放送切り替え処理の手順を説明するフローチャート。
【図７】図６のワンセグメント放送／フルセグメント放送切り替え処理で使用される、ワンセグメント放送からフルセグメント放送に切り替えるための閾値とフルセグメント放送からワンセグメント放送に切り替えるための閾値とを説明するための図。
【図８】同実施形態の電子機器の環境が移動状態から静止状態に、静止状態から移動状態に変化した場合における換算ＣＮと測定ＣＮとの関係を示す図。
【図９】同実施形態の電子機器によって実行される通信環境（静止状態／移動状態）判定処理の手順を説明するフローチャート。
【図１０】同実施形態の電子機器によって実行されるワンセグメント放送／フルセグメント放送の切り替え処理の手順を説明するフローチャート。
【図１１】図１０のワンセグメント放送／フルセグメント放送切り替え処理で使用される、ワンセグメント放送からフルセグメント放送に切り替えるための２つの閾値とフルセグメント放送からワンセグメント放送に切り替えるための２つの閾値とを説明するための図。
【発明を実施するための形態】
【０００９】
以下、実施の形態について図面を参照して説明する。  
図１は、一実施形態に係る電子機器の外観を示す斜視図である。この電子機器は、エラー耐性と伝送可能な映像信号品質との組み合わせが互いに異なる高速伝送チャネルと低速伝送チャネルの双方の放送サービスを含む放送信号を受信可能な携帯型電子機器であり、例えば、タブレット端末、スマートフォン、ＰＤＡ、またはポータブルＴＶ等として実現され得る。以下では、この電子機器がタブレット端末（タブレット型パーソナルコンピュータ）１０として実現されている場合を想定する。タブレット端末１０は、図１に示すように、本体１１とタッチスクリーンディスプレイ１７とから構成される。
【００１０】
本体１１は、薄い箱形の筐体を有している。タッチスクリーンディスプレイ１７には、液晶表示装置（ＬＣＤ）のようなフラットパネルディスプレイ、及びタッチパネルが組み込まれている。タッチパネルは、フラットパネルディスプレイの画面を覆うように設けられる。タッチスクリーンディスプレイ１７は、本体１１の上面に重ね合わせるように取り付けられている。このタッチスクリーンディスプレイ１７は、外部オブジェクト（ペン又は手の指）が接触された表示画面上の位置を検知することができる。
【００１１】
本体１１の上面上には、カメラ１９が配置されている。また、本体１１の長手方向に伸びた側面には２つのスピーカ１８Ａ，１８Ｂが配置されている。さらに、本体１１内には、上述の放送信号を受信するように構成された受信部２１が設けられている。受信部２１は、たとえば、ＩＳＤＢ−Ｔシステムに対応するＴＶチューナとして実現されている。ＩＳＤＢ−Ｔシステムにおいては、固定ＴＶ向けの放送サービスであるフルセグメント（Ｆｕｌｌ−ｓｅｇｍｅｎｔ）が上述の高速伝送チャネルに相当し、移動ＴＶ向けの放送サービスであるワンセグメント（１ｓｅｇｍｅｎｔ）放送が上述の低速伝送チャネルに相当する。
【００１２】
本タブレット端末１０においては、タッチスクリーンディスプレイ１７は、各種アプリケーションプログラムの画面を表示するためのメインディスプレイとして使用される。ＴＶ放送信号の受信時には、受信されたＴＶ放送信号によって放送中の番組データに対応する映像がタッチスクリーンディスプレイ１７上に表示される。本タブレット端末１０は移動状態および静止状態のような異なる環境で使用される。移動状態はフェージング等の影響を受けやすい環境であり、例えばある速度移動で移動している場合のような状態が移動状態に相当する。
【００１３】
本タブレット端末１０においては、タッチスクリーンディスプレイ１７は、各種アプリケーションプログラムの画面を表示するためのメインディスプレイとして使用される。ＴＶ放送信号の受信時には、受信されたＴＶ放送信号によって放送中の番組データに対応する映像がタッチスクリーンディスプレイ１７上に表示される。本タブレット端末１０は移動状態および静止状態のような異なる環境で使用される。移動状態はフェージング等の影響を受けやすい環境であり、例えばある移動速度で移動している場合のような状態が移動状態に相当する。
【００１４】
図３は、本タブレット端末１０のシステム構成を示す図である。  
本タブレット端末１０は、図３に示されるように、ＣＰＵ１０１、ノースブリッジ１０２、主メモリ１０３、サウスブリッジ１０４、グラフィクスコントローラ１０５、サウンドコントローラ１０６、ＢＩＯＳ−ＲＯＭ１０７、ＬＡＮコントローラ１０８、不揮発性メモリ１０９、バイブレータ１１０、加速度センサ１１１、無線ＬＡＮコントローラ１１２、エンベデッドコントローラ（ＥＣ）１１３、ＥＥＰＲＯＭ１１４、ＨＤＭＩ制御回路３等を備える。
【００１５】
ＣＰＵ１０１は、タブレット端末１０内の各部の動作を制御するプロセッサである。ＣＰＵ１０１は、不揮発性メモリ１０９から主メモリ１０３にロードされる、オペレーティングシステム（ＯＳ）２０１、および各種アプリケーションプログラムを実行する。アプリケーションプログラムには、ＴＶアプリケーションプログラム２０２Ａが含まれている。このＴＶアプリケーションプログラム２０２Ａは、上述の受信部２１によって受信されるＴＶ放送信号に含まれる番組データを再生する処理等を実行する。チューナドライバ２０２Ｂは受信部２１を制御するためのドライバプログラムであり、受信部２１によって復調すべき放送サービスを固定ＴＶ向けのＦｕｌｌ−ｓｅｇｍｅｎｔと移動ＴＶ向けの１ｓｅｇｍｅｎｔとの間で切り替えるための処理等を実行する。
【００１６】
また、ＣＰＵ１０１は、ＢＩＯＳ−ＲＯＭ１０７に格納されたＢＩＯＳも実行する。ＢＩＯＳは、ハードウェア制御のためのプログラムである。
【００１７】
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、ＰＣＩ  ＥＸＰＲＥＳＳ規格のシリアルバスなどを介してグラフィクスコントローラ１０５との通信を実行する機能も有している。
【００１８】
グラフィクスコントローラ１０５は、本タブレット端末１０のディスプレイモニタとして使用されるＬＣＤ１７Ａを制御する表示コントローラである。このグラフィクスコントローラ１０５によって生成される表示信号はＬＣＤ１７Ａに送られる。ＬＣＤ１７Ａは、表示信号に基づいて映像を表示する。このＬＣＤ１７Ａ上にはタッチパネル１７Ｂが配置されている。タッチパネル１７Ｂは、ＬＣＤ１７Ａの画面上で入力を行うためのポインティングデバイスである。ユーザは、タッチパネル１７Ｂを用いて、ＬＣＤ１７Ａの画面に表示されたグラフィカルユーザインタフェース（ＧＵＩ）等を操作することができる。例えば、ユーザは、画面に表示されたボタンをタッチすることによって、当該ボタンに対応する機能の実行を指示することができる。
【００１９】
ＨＤＭＩ端子２は、外部ディスプレイ接続端子である。ＨＤＭＩ端子２は、非圧縮のデジタル映像信号とデジタルオーディオ信号とを１本のケーブルで外部ディスプレイ装置１に送出することができる。ＨＤＭＩ制御回路３は、ＨＤＭＩモニタと称される外部ディスプレイ装置１にデジタル映像信号をＨＤＭＩ端子２を介して送出するためのインタフェースである。
【００２０】
サウスブリッジ１０４は、ＰＣＩ（Ｐｅｒｉｐｈｅｒａｌ  Ｃｏｍｐｏｎｅｎｔ  Ｉｎｔｅｒｃｏｎｎｅｃｔ）バス上の各デバイス及びＬＰＣ（Ｌｏｗ  Ｐｉｎ  Ｃｏｕｎｔ）バス上の各デバイスを制御する。また、サウスブリッジ１０４は、不揮発性メモリ１０９を制御するためのＡＴＡコントローラを内蔵している。
【００２１】
サウスブリッジ１０４は、各種ＵＳＢデバイスを制御するためのＵＳＢコントローラを内蔵している。さらに、サウスブリッジ１０４は、サウンドコントローラ１０６との通信を実行する機能も有している。サウンドコントローラ１０６は音源デバイスであり、再生対象のオーディオデータをスピーカ１８Ａ，１８Ｂに出力する。ＬＡＮコントローラ１０８は、例えばＩＥＥＥ  ８０２．３規格の有線通信を実行する有線通信デバイスである。無線ＬＡＮコントローラ１１２は、例えばＩＥＥＥ  ８０２．１１規格の無線通信を実行する無線通信デバイスである。
【００２２】
ＥＣ１１３は、電力管理のためのエンベデッドコントローラを含む１チップマイクロコンピュータである。ＥＣ１１３は、ユーザによるパワーボタンの操作に応じて本タブレット端末１０を電源オン／電源オフする機能を有している。
【００２３】
受信部２１は、ＩＳＤＢ−Ｔシステムに対応するＴＶチューナであり、高速伝送チャネルであるＦｕｌｌ−ｓｅｇｍｅｎｔと低速伝送チャネルである１ｓｅｇｍｅｎｔとの両放送サービスを含む放送信号を受信するように構成されている。この受信部２１は、ＲＦチューナ部２１１、受信電力検出部２１２、ＣＮ測定部２１３、ＯＦＤＭ復調部２１４、ＴＳデマルチプレクサ２１５、およびインタフェース部２１６等を含む。ＲＦチューナ部２１１は複数のチャンネル内から選択されたある受信対象チャンネルに対応する放送信号を受信し、その受信した放送信号を中間周波数信号に変換する。各チャンネルの放送信号は１３のセグメントに分割されており、１３のセグメント内の中央の１つのセグメントが１ｓｅｇｍｅｎｔの放送サービスに用いられ、他の１２のセグメントがＦｕｌｌ−ｓｅｇｍｅｎｔの放送サービスに用いられる。
【００２４】
受信電力検出部２１２は放送信号の受信電力を測定する。ＣＮ測定部２１３は、放送信号の搬送波電力対雑音電力比（ＣＮ）を測定する。ここで、搬送波電力は上述の受信電力に相当する電力である。ＯＦＤＭ復調部２１４は受信された放送信号に含まれる復調対象の放送サービス（Ｆｕｌｌ−ｓｅｇｍｅｎｔまたは１ｓｅｇｍｅｎｔ）に対応する信号を復調して、受信された放送信号からＦｕｌｌ−ｓｅｇｍｅｎｔまたは１ｓｅｇｍｅｎｔに対応するトランスポートストリームパケット（ＴＳパケット）群を取り出す。ＴＳデマルチプレクサ２１５は、ＴＳパケット群からＦｕｌｌ−ｓｅｇｍｅｎｔ放送または１ｓｅｇｍｅｎｔ放送に対応する番組データのＴＳパケット群を取り出す。ＴＳデマルチプレクサ２１５によって取り出されたパケット群はインタフェース部２１６を介してＴＶアプリケーションプログラム２０２Ａに送られる。
【００２５】
なお、受信部２１は、ＣＮのみならず、さらに、ＢＥＲや、受信信号強度（ＲＳＳＩ）といった他の信号品質を示す指標を測定する機能を備えていてもよい。
【００２６】
次に、図４を参照して、所要ＣＮと受信感度と受信電力との関係について説明する。高速伝送チャンネルの放送サービスであるフルセグメント放送を受信（復調）するための所要ＣＮは、フルセグメント放送を受信（復調）するために必要なＣＮ値、つまりノイズレベル（雑音電力）に対する受信電力のマージンを意味する。フルセグメント放送の所要ＣＮは例えば２１ｄＢである。フルセグメント放送を受信（復調）するための受信感度は、ノイズレベル（雑音電力）にフルセグメント放送の所要ＣＮを加えた電力である。例えば、ノイズレベル（雑音電力）が−１００ｄＢｍであり、フルセグメント放送の所要ＣＮが２１ｄＢであるならば、フルセグメント放送を受信するための受信感度は、−７９ｄＢｍとなる。受信電力が、受信感度である−７９ｄＢｍよりも大きい場合に、フルセグメント放送を受信（復調）することができる。一方、受信電力が、受信感度である−７９ｄＢｍよりも小さい場合には、フルセグメント放送を正常に受信（復調）することはできない。
【００２７】
例えば、いまある期間Ｔ１における放送信号の受信電力が受信電力Ａ（＝−６０ｄＢｍ）であれば、受信電力Ａは受信感度よりも大きいので、フルセグメント放送を受信することができる。一方、期間Ｔ１における放送信号の受信電力が受信電力Ｂ（＝−８０ｄＢｍ）であれば、受信電力Ｂは受信感度よりも小さいので、フルセグメント放送は受信できない。
【００２８】
通常、無線システムの受信器は、復調に必要な信号品質指標として、所要ＣＮまたはＢＥＲの測定機能を有している。ここで、上述の高速チャネル（フルセグメント放送）と低速伝送チャネル（ワンセグメント放送）については、変調方式、誤り訂正符号化率を変更することで、高速伝送チャネルについては、誤りに対する耐性は低いが周波数利用効率の高い組み合わせが、低速伝送チャネルについては、誤りに対する耐性は高いが周波数利用効率の低い組み合わせが用いられている。低速伝送チャネルの放送サービスでは、変調方式として例えばＱＰＳＫが用いられ、誤り訂正符号化率は例えば２／３である。高速伝送チャネルの放送サービスでは、変調方式として例えば６４ＱＡＭが用いられ、誤り訂正符号化率は例えば３／４である。
【００２９】
そのため、高速伝送チャネルについては低速伝送チャネルよりも高い信号品質が要求されるため、高速伝送チャネルに対応する所要ＣＮは、低速伝送チャネルに対応する所要ＣＮよりも大きくなるのが一般的である。ここで、ＩＳＤＢ−Ｔシステムが運用されている周波数帯域および隣接帯域に対して、受信器に対してノイズとなる電波が放射されていなく、且つ静止状態の場合、高速伝送チャネルおよび低速伝送チャネルの各チャネルに対して規定されている所要ＣＮは、各チャネルに対して決まった値となる。しかし、例えば移動に伴うフェージングによる信号品質の劣化が原因で、上述の所要ＣＮが静止時に比べ大きく必要になるケースがある。これは、フェージングによる送信信号の位相回転／振幅変動による影響であり、その送信信号の位相回転／振幅変動補正のための基準信号（以下、Ｐｉｌｏｔ信号）を利用して、伝送路推定を行い信号の補正を行うのが一般的である。例えば３ＧＰＰ等で規定されている移動通信システムにおいては、ターゲットとする移動速度を保障可能な密度のＰｉｌｏｔ信号を挿入している。ここで、ＩＳＤＢ−Ｔシステムについては、移動を前提としている１ｓｅｇｍｅｎｔに関しては、ある程度の耐性保障がなされているが、Ｆｕｌｌ−ｓｅｇｍｅｎｔに関しては固定受信機を対象として設計されているため、耐性が非常に低い。そのため、Ｆｕｌｌ−ｓｅｇｍｅｎｔに関しては静止状態と移動状態では所要ＣＮが異なる可能性がある。上述の所要ＣＮ＝２１ｄＢという値は、静止状態においてＦｕｌｌ−ｓｅｇｍｅｎｔを受信（復調）するための所要ＣＮ（静止時所要ＣＮ）に相当する。同様に、上述の受信感度＝−７９ｄＢｍという値は、静止状態に対応するＦｕｌｌ−ｓｅｇｍｅｎｔの受信感度（静止時受信感度）に相当する。
【００３０】
図５に電車を例にした移動状態→静止状態→移動状態と状態変化した場合の測定ＣＮを図示する。測定ＣＮはＣＮ測定部２１３によって測定されるＣＮ値、つまり移動状態においては上記フェージングの影響で劣化されるＣＮ値を示している。受信電力強度がある程度高い場合でも、移動状態の場合は上記フェージングの影響で測定ＣＮが劣化し、受信（復調）が困難となる可能性がある。
【００３１】
図６のフローチャートは、移動状態と静止状態との間で同じ基準値を用いた場合のワンセグメント放送／フルセグメント放送の切り替え処理の手順を示している。通常、Ｆｕｌｌ−ｓｅｇｍｅｎｔ→１ｓｅｇｍｅｎｔの切替のための閾値と、１ｓｅｇｍｅｎｔ→Ｆｕｌｌ−ｓｅｇｍｅｎｔの切替のための閾値は異なるものとし、ヒステリシス特性を持たせるのが一般的である。
【００３２】
すなわち、まず、受信信号強度（ＲＳＳＩ）、ＣＮ、ＢＥＲ等が測定される（ステップＳ１１）。１ｓｅｇｍｅｎｔサービス中、つまり１ｓｅｇｍｅｎｔ放送の受信・復調中においては（ステップＳ１２のＹＥＳ）、測定ＣＮがＦｕｌｌ−ｓｅｇｍｅｎｔへの切替のための閾値Ｔｈ１以上であるか否かが判定される（ステップＳ１３）。測定ＣＮが閾値Ｔｈ１以上であれば（ステップＳ１３のＹＥＳ）、復調対象の放送サービスはＦｕｌｌ−ｓｅｇｍｅｎｔに切り替えられる（ステップＳ１４）。
【００３３】
一方、Ｆｕｌｌ−ｓｅｇｍｅｎｔサービス中、つまりＦｕｌｌ−ｓｅｇｍｅｎｔ放送の受信・復調中においては（ステップＳ１６のＹＥＳ）、測定ＣＮが１ｓｅｇｍｅｎｔへの切替のための閾値Ｔｈ２以下であるか否かが判定される（ステップＳ１７）。閾値Ｔｈ２は、図７に示すように、閾値Ｔｈ１よりも低い値に設定されている。これはヒステリシス特性を持たせるためである。測定ＣＮが１ｓｅｇｍｅｎｔへの切替のための閾値Ｔｈ２以下になると（ステップＳ１７のＹＥＳ）、復調対象の放送サービスは１ｓｅｇｍｅｎｔに切り替えられる（ステップＳ１８）。
【００３４】
ＩＳＤＢ−Ｔサービスを利用している間、つまり放送信号を受信している間、ステップＳ１１〜Ｓ１４、ステップＳ１６〜Ｓ１８の処理は繰り返し実行される（ステップＳ１５）。
【００３５】
図６に関しては単純に放送信号の信号品質レベルの指標としてＣＮを用いた例としたが、ＣＮの代わりにＢＥＲを使用しても良いし、ＣＮとＢＥＲを平均化処理することによって得られる値を受信信号品質レベルとして使用しても良い。さらに、ＣＮ、またはＢＥＲ、またはＣＮとＢＥＲとを平均化処理した値が、Ｔｈ１以上である時間が閾時間に達した事、およびＣＮ、またはＢＥＲ、またはＣＮとＢＥＲとを平均化処理した値が、Ｔｈ２以下である時間が閾時間に達した事を切り替え条件に加えるためのタイマー処理を追加しても良い。
【００３６】
図６の場合、移動状態、静止状態に特化した閾値を有していないため、例えば図５の移動状態で、たまたま受信電力が大きい地点（図５のタイミングｔ１）において、１ｓｅｇｍｅｎｔからＦｕｌｌ−ｓｅｇｍｅｎｔに切り替えられてしまう。そして、直ぐにＦｕｌｌ−ｓｅｇｍｅｎｔから１ｓｅｇｍｅｎｔへの切り替えが再び発生する。
【００３７】
本実施形態では、移動状態／静止状態のような環境の違いを考慮して１ｓｅｇｍｅｎｔとＦｕｌｌ−ｓｅｇｍｅｎｔの切り替えを適応的に実行できるようにするために、受信電力と、Ｆｕｌｌ−ｓｅｇｍｅｎｔを受信するための受信感度と、Ｆｕｌｌ−ｓｅｇｍｅｎｔを受信するための所要ＣＮとに基づいて、タブレット端末１０が静止状態に対応する環境にあると仮定した場合のＣＮを推定する。静止状態のような環境においては、推定されたＣＮ（換算ＣＮ）と測定ＣＮとはほぼ等しい。したがって、換算ＣＮと測定ＣＮとの差分に基づいて移動状態／静止状態を判定することができる。よって、該推定されたＣＮ（換算ＣＮ）と測定ＣＮとの差分に基づき、低速伝送チャネル（１ｓｅｇｍｅｎｔ）と高速伝送チャネル（Ｆｕｌｌ−ｓｅｇｍｅｎｔ）との間で復調対象の放送サービスを切り替える処理を制御することにより、移動状態／静止状態のような環境の違いを考慮して適応的に高速伝送チャネルと低速伝送チャネルの切り替えを実行することができる。
【００３８】
つまり、本実施形態では、以下の式を元に、換算ＣＮ（タブレット端末１０が静止状態に対応する環境にあると仮定した場合のＣＮ）を算出し、測定ＣＮとの差を評価することで、現在の環境が、ＣＮ劣化が発生する移動状態とＣＮ劣化がほとんどない無い静止状態のどちらに対応する環境であるかを検出する。
【００３９】
換算ＣＮ＝受信電力−受信感度＋所要ＣＮ
上式により、ＩＳＤＢ−Ｔシステムが運用されている周波数帯域および隣接帯域に対して、受信器に対してノイズとなる電波が放射されていなく、且つ静止状態であると仮定した場合のＣＮの推定値を、換算ＣＮとして求めることが可能となる。
【００４０】
例えば、ノイズレベルがほとんど変化しない静止状態に対応する環境を想定すると、もし受信電力がＦｕｌｌ−ｓｅｇｍｅｎｔを受信するための受信感度とほぼ等しい場合には、測定されるＣＮは、Ｆｕｌｌ−ｓｅｇｍｅｎｔを受信するための所要ＣＮ（例えば２１ｄＢ）とほぼ等しいと考えられる。受信電力が受信感度よりも高い場合には、受信電力と受信感度との差分だけ、測定されるＣＮは、Ｆｕｌｌ−ｓｅｇｍｅｎｔを受信するための所要ＣＮよりも大きくなると考えられる。したがって、上式のように、受信電力と受信感度との差分を所要ＣＮに加えることにより、受信器に対してノイズとなる電波が放射されていなく、且つ静止状態であると仮定した場合のＣＮの推定値を求めることができる。
【００４１】
上述の図4の例において、もし受信電力が受信電力Ａ（＝−６０ｄＢｍ）であれば、この受信電力Ａは受信感度−７９ｄＢｍよりも１９ｄＢだけ高いので、受信器に対してノイズとなる電波が放射されていなく、且つ静止状態であると仮定した場合には、測定されるＣＮも、所要ＣＮよりも１９ｄＢ高いと推定される。上記式では、換算ＣＮ＝−６０−（−７９）＋２１＝４０ｄＢが求められる。もし現在の環境が静止状態であれば、実際に測定されるＣＮは換算ＣＮ（＝４０ｄＢ）とほぼ一致する。一方、もし現在の環境が移動状態であれば、測定ＣＮは劣化するので、測定ＣＮは換算ＣＮ（＝４０ｄＢ）よりもある程度低い値になる。
【００４２】
もし受信電力が受信電力Ｂ（＝−８０ｄＢｍ）であれば、この受信電力Ｂは受信感度−７９ｄＢｍよりも１ｄＢだけ低いので、受信器に対してノイズとなる電波が放射されていなく、且つ静止状態であると仮定した場合には、測定されるＣＮも、所要ＣＮよりも１ｄＢ低いと推定される。上記式では、換算ＣＮ＝−８０−（−７９）＋２１＝２０ｄＢが求められる。もし現在の環境が静止状態であれば、実際に測定されるＣＮは換算ＣＮ（＝２０ｄＢ）とほぼ一致する。一方、もし現在の環境が移動状態であれば、測定ＣＮは劣化するので、測定ＣＮは換算ＣＮ（＝２０ｄＢ）よりもある程度低い値になる。
【００４３】
図８は、タブレット端末１０の環境が移動状態から静止状態に、静止状態から移動状態に変化した場合における換算ＣＮと測定ＣＮとの関係を示している。上述したように、受信電力が−６０ｄＢｍで、受信感度−７９ｄＢｍよりも１９ｄＢだけ高い場合には、４０ｄＢ（＝１９ｄＢ＋２１ｄＢ）が換算ＣＮとして求められる。
【００４４】
図８から分かるように、静止状態においては、換算ＣＮは測定ＣＮの値とほぼ等しい。換算ＣＮと測定ＣＮとの間にわずかな差があるのは、静止状態においても実際にはノイズレベルの変動等があるためである。移動によるフェージングによりＣＮが劣化している場合は、換算ＣＮと測定ＣＮとの間に差が出てくる。そのため、換算ＣＮと測定ＣＮとの差に対して閾値判定を行うことで、特別なハードウェアを追加することなく、現在の環境が移動状態に対応する環境であるか、静止状態に対応する環境であるかを検出することができ、これによって現在の環境に対応した切り替え処理を実行することができる。
【００４５】
次に、図９のフローチャートを参照して、本実施形態の通信環境（静止状態／移動状態）判定処理の手順について説明する。この判定処理はチューナドライバ２０２Ｂによって実行することができる。
【００４６】
チューナドライバ２０２Ｂは受信部２１から現在の受信電力を取得し、そして、その受信電力と、Ｆｕｌｌ−ｓｅｇｍｅｎｔを受信するための受信感度と、Ｆｕｌｌ−ｓｅｇｍｅｎｔを受信するための所要ＣＮとに基づいて、タブレット端末１０が静止状態に対応する環境にあると仮定した場合の現在のＣＮの値を推定する処理（換算ＣＮ算出処理）を実行する（ステップＳ２１）。チューナドライバ２０２Ｂは、受信部２１から現在の測定ＣＮを取得し、換算ＣＮと測定ＣＮとの差分に基づき、タブレット端末１０が移動状態に対応する環境にあるか否かを判定する。具体的には、チューナドライバ２０２Ｂは、換算ＣＮと測定ＣＮとの差分が閾値Ｔｈ以上であるか否かを判定する（ステップＳ２２）。
【００４７】
換算ＣＮと測定ＣＮとの差分が閾値Ｔｈ以上であれば（ステップＳ２２のＹＥＳ）、チューナドライバ２０２Ｂは、タブレット端末１０が移動状態に対応する環境にあることを検出する（ステップＳ２３）。一方、換算ＣＮと測定ＣＮとの差分が閾値Ｔｈよりも小さいならば（ステップＳ２２のＹＥＳ）、チューナドライバ２０２Ｂは、タブレット端末１０が静止状態に対応する環境にあることを検出する（ステップＳ２４）。そして、チューナドライバ２０２Ｂは、静止状態／移動状態の検出結果に応じて、つまり、換算ＣＮと測定ＣＮとの差分に応じて、ワンセグメント放送とフルセグメント放送との間で復調対象の放送サービスを切り替える処理を制御する（ステップＳ２５）。
【００４８】
ステップＳ２５では、チューナドライバ２０２Ｂは、移動状態、つまり、換算ＣＮと測定ＣＮとの差分が大きい場合には、ワンセグメント放送がフルセグメント放送よりも優先して使用されるように、ワンセグメント放送とフルセグメント放送との切り替えを制御してもよい。
【００４９】
この場合、チューナドライバ２０２Ｂは、移動状態、つまり、換算ＣＮと測定ＣＮとの差分が大きい場合には、復調対象の放送サービスをワンセグメント放送に決定し、静止状態、つまり、換算ＣＮと測定ＣＮとの差分が小さい場合には、復調対象の放送サービスをフルセグメント放送に決定してもよい。
【００５０】
また、復調対象の放送サービスを切り替えるための閾値を移動状態と静止状態との間変更するようにしてもよい。この場合、ステップＳ２５では、チューナドライバ２０２Ｂは、放送信号の受信信号品質と１以上の閾値との比較結果に基づいて、ワンセグメント放送とフルセグメント放送との間で復調対象の放送サービスを切り替える処理を実行する。そして、チューナドライバ２０２Ｂは、換算ＣＮと測定ＣＮとの差分に応じて、つまり移動状態／静止状態に応じて、ワンセグメント放送とフルセグメント放送の切り替えのための上述の閾値を変更する。例えば、移動状態の場合におけるＦｕｌｌ−ｓｅｇｍｅｎｔ→１ｓｅｇｍｅｎｔの切替を、静止状態の場合におけるＦｕｌｌ−ｓｅｇｍｅｎｔ→１ｓｅｇｍｅｎｔの切り替えに比べし易い閾値に変更し、移動状態の場合における１ｓｅｇｍｅｎｔ→Ｆｕｌｌ−ｓｅｇｍｅｎｔの切替を、静止状態の場合における同切り替えに比べし難い閾値に変更してもよい。
【００５１】
また、移動状態、つまり、換算ＣＮと測定ＣＮとの差分が大きい場合には、復調対象の放送サービスをワンセグメント放送に決定し、静止状態、つまり、換算ＣＮと測定ＣＮとの差分が小さい場合には、測定ＣＮのような信号品質に基づいて復調対象の放送サービスをワンセグメント放送とフルセグメント放送との間で切り替えるようにしてもよい。
【００５２】
また、静止状態と移動状態との２つの環境ではなく、測定ＣＮと換算ＣＮとの差分に応じて、タブレット端末１０が静止状態、低速移動状態、中速移動状態、高速移動状態のような複数の環境のいずれにあるかを判定し、ワンセグメント放送とフルセグメント放送とを切り替えるための閾値を、これら静止状態、低速移動状態、中速移動状態、高速移動状態の間で多段階で変更するようにしてもよい。この場合、閾値は、測定ＣＮと換算ＣＮとの差分にしたがって多段階で変更される。
【００５３】
次に、図１０のフローチャートを参照して、ワンセグメント放送／フルセグメント放送の切り替え処理の手順について説明する。ここでは、ワンセグメント放送とフルセグメント放送とを切り替えるための閾値を、静止状態と移動状態との間で変更する場合を例示して説明する。
【００５４】
まず、受信信号強度（ＲＳＳＩ）、ＣＮ、ＢＥＲ等が受信部２１内で測定される（ステップＳ３１）。チューナドライバ２０２Ｂは、受信部２１から現在の受信電力を取得して上述の換算ＣＮを算出すると共に、この換算ＣＮと測定ＣＮとの差分に基づいて移動状態／静止状態の判定を行う（ステップＳ３２）。
【００５５】
１ｓｅｇｍｅｎｔサービス中、つまり１ｓｅｇｍｅｎｔ放送の受信・復調中においては（ステップＳ３３のＹＥＳ）、チューナドライバ２０２Ｂは、静止状態であるか移動状態であるかに応じて、Ｆｕｌｌ−ｓｅｇｍｅｎｔへの切替のための閾値を変更する。すなわち、チューナドライバ２０２Ｂは、まず、静止状態であるか否かを判定する（ステップＳ３４）。静止状態であるならば（ステップＳ３４のＹＥＳ）、チューナドライバ２０２Ｂは、測定ＣＮとＦｕｌｌ−ｓｅｇｍｅｎｔへの切替のための閾値Ｔｈ１とを比較し、測定ＣＮが閾値Ｔｈ１以上であるか否かによってＦｕｌｌ−ｓｅｇｍｅｎｔへの切替が可能であるか否かを判定する（ステップＳ３５）。一方、移動状態であるならば（ステップＳ３４のＮＯ）、チューナドライバ２０２Ｂは、測定ＣＮとＦｕｌｌ−ｓｅｇｍｅｎｔへの切替のための閾値Ｔｈ３とを比較し、測定ＣＮが閾値Ｔｈ３以上であるか否かによってＦｕｌｌ−ｓｅｇｍｅｎｔへの切替が可能であるか否かを判定する（ステップＳ３５）。図１１に示すように、移動状態の閾値Ｔｈ３としては、静止状態の閾値Ｔｈ１よりも高い値を使用し得る。
【００５６】
Ｆｕｌｌ−ｓｅｇｍｅｎｔへの切替条件が満たされたならば、チューナドライバ２０２Ｂは、受信部２１を制御して、復調対象の放送サービスをＦｕｌｌ−ｓｅｇｍｅｎｔに切り替える（ステップＳ３７）。
【００５７】
一方、Ｆｕｌｌ−ｓｅｇｍｅｎｔサービス中、つまりＦｕｌｌ−ｓｅｇｍｅｎｔ放送の受信・復調中においては（ステップＳ３９のＹＥＳ）、チューナドライバ２０２Ｂは、静止状態であるか移動状態であるかに応じて、１ｓｅｇｍｅｎｔへの切替のための閾値を変更する。すなわち、チューナドライバ２０２Ｂは、まず、静止状態であるか否かを判定する（ステップＳ４０）。静止状態であるならば（ステップＳ４０のＹＥＳ）、チューナドライバ２０２Ｂは、測定ＣＮと１ｓｅｇｍｅｎｔへの切替のための閾値Ｔｈ２とを比較し、測定ＣＮが閾値Ｔｈ２以下であるか否かによって１ｓｅｇｍｅｎｔへの切替が必要であるか否かを判定する（ステップＳ４１）。一方、移動状態であるならば（ステップＳ４０のＮＯ）、チューナドライバ２０２Ｂは、測定ＣＮと１ｓｅｇｍｅｎｔへの切替のための閾値Ｔｈ３とを比較し、測定ＣＮが閾値Ｔｈ３以上であるか否かによって１ｓｅｇｍｅｎｔへの切替が必要であるか否かを判定する（ステップＳ４２）。図１１に示すように、移動状態の閾値Ｔｈ４としては、静止状態の閾値Ｔｈ１よりも高い値を使用し得る。
【００５８】
１ｓｅｇｍｅｎｔへの切替条件が満たされたならば、チューナドライバ２０２Ｂは、受信部２１を制御して、復調対象の放送サービスを１ｓｅｇｍｅｎｔに切り替える（ステップＳ４３）。
【００５９】
ＩＳＤＢ−Ｔサービスを利用している間、つまり放送信号を受信している間、ステップＳ１１〜Ｓ３７、ステップＳ３９〜Ｓ４３の処理は繰り返し実行される（ステップＳ３８）。
【００６０】
なお、ここでは受信信号品質の指標としてＣＮを用いる例を説明したが、ＣＮの代わりにＢＥＲを受信信号品質として使用しても良いし、ＣＮとＢＥＲを平均化処理することによって得られる値を受信信号品質として使用しても良い。さらに、図６で説明したようなタイマー処理を追加しても良い。
【００６１】
以上説明したように、本実施形態によれば、受信電力と、高速伝送チャネルを受信するための受信感度と、高速伝送チャネル放送を受信するための所要ＣＮとに基づいて、タブレット端末１０が静止状態に対応する環境にあると仮定した場合の現在のＣＮが推定され、該推定されたＣＮ（換算ＣＮ）と測定ＣＮとの差分に基づき、高速伝送チャネルと低速伝送チャネルとの間で復調対象の放送サービスを切り替える処理が制御される。したがって、移動状態／静止状態のような環境の違いを考慮して高速伝送チャネルと低速伝送チャネルの切り替えを実行することができる。
【００６２】
また、換算ＣＮと測定ＣＮとの差分に基づき、高速伝送チャネルと低速伝送チャネルの切り替えのための閾値を変更することにより、この切り替えのための閾値をタブレット端末１０の現在の環境に応じた値に設定することができる。
【００６３】
たとえば、換算ＣＮと測定ＣＮとの差分が大きい移動状態におけるＦｕｌｌ−ｓｅｇｍｅｎｔ→１ｓｅｇｍｅｎｔへの切替を、換算ＣＮと測定ＣＮとの差分が小さい静止時に比べし易い閾値に変更し、移動状態における１ｓｅｇｍｅｎｔ→Ｆｕｌｌ−ｓｅｇｍｅｎｔへの切替を静止時に比べし難い閾値に変更することにより、移動状態において１ｓｅｇｍｅｎｔとＦｕｌｌ−ｓｅｇｍｅｎｔとの間の切り替えが頻繁に発生することを抑制することが可能となる。
【００６４】
なお、本実施形態では、１ｓｅｇｍｅｎｔとＦｕｌｌ−ｓｅｇｍｅｎｔとの間の切り替え制御をチューナドライバによって実行する場合を例示したが、１ｓｅｇｍｅｎｔとＦｕｌｌ−ｓｅｇｍｅｎｔとの間の切り替え制御を実行するためのコントローラを受信部２１内に設けてもよい。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１０…タブレット端末、２１…受信部、２０２Ｂ…チューナドライバ、２１２…受信電力検出部、２１３…ＣＮ測定部。
【要約】
【課題】移動状態／静止状態のような環境の違いを考慮して高速伝送チャネルと低速伝送チャネルの切り替えを実行することができる電子機器を実現する。
【解決手段】実施形態によれば、電子機器は、エラー耐性と伝送可能な映像信号品質との組み合わせが互いに異なる高速伝送チャネルと低速伝送チャネルとを含む放送信号を受信する受信部と、制御手段とを具備する。前記制御手段は、測定された受信電力と前記高速伝送チャネルの放送サービスを受信するための受信感度と前記高速伝送チャネルの放送サービスを受信するための所要ＣＮとに基づいて、電子機器が静止状態に対応する環境にあると仮定した場合のＣＮを推定し、該推定されたＣＮと前記測定されたＣＮとの差分に基づき、高速伝送チャネルと低速伝送チャネルとの間で復調対象の放送サービスを切り替える処理を制御する。
【選択図】図８【図１】
0005214814.tif 000002
【図２】
0005214814.tif 000003
【図３】
0005214814.tif 000004
【図４】
0005214814.tif 000005
【図５】
0005214814.tif 000006
【図６】
0005214814.tif 000007
【図７】
0005214814.tif 000008
【図８】
0005214814.tif 000009
【図９】
0005214814.tif 000010
【図１０】
0005214814.tif 000011
【図１１】
0005214814.tif 000012